(57)【要約】【課題】格納されるペンの外周面におけるペンの挿抜時の擦れ跡の発生を抑制することを課題とする。【解決手段】ペン格納装置は、筐体内に形成されたペン格納部と、前記筐体内において、前記ペン格納部の側方に設けられた案内突起部と、前記ペン格納部に格納されるペンに設けられた係合部と係合する被係合部と、弾性を有し、前記ペン格納部に格納されるペンの挿入方向への移動に伴って前記案内突起部に接触して前記ペン格納部側の前記ペンと接触する位置へ移動し、前記ペン格納部に格納されたペンの抜脱方向への移動に伴って前記ペンから離れる位置に移動する腕部と、を有するとともに、前記ペン格納部に格納される前記ペンの挿抜方向に沿って往復移動可能に前記筐体に設置される移動部材と、を備える。【選択図】図７
2017167638.tif 000002
【特許請求の範囲】
【請求項１】
筐体内に形成されたペン格納部と、
前記筐体内において、前記ペン格納部の側方に設けられた案内突起部と、
前記ペン格納部に格納されるペンに設けられた係合部と係合する被係合部と、弾性を有し、前記ペン格納部に格納されるペンの挿入方向への移動に伴って前記案内突起部に接触して前記ペン格納部側の前記ペンと接触する位置へ移動し、前記ペン格納部に格納されたペンの抜脱方向への移動に伴って前記ペンから離れる位置に移動する腕部と、を有するとともに、前記ペン格納部に格納される前記ペンの挿抜方向に沿って往復移動可能に前記筐体に設置される移動部材と、
を備える電子装置。
【請求項２】
前記腕部は、前記ペン格納部に格納されるペンの挿抜方向手前側に位置する基端側からペンの挿抜方向奥側に位置する先端側に向かうほど前記ペン格納部側に近づくように傾斜した傾斜部を備える請求項１に記載の電子装置。
【請求項３】
前記案内突起部は、前記ペン格納部に格納されるペンの挿抜方向手前側からペンの挿抜方向奥側に向かうほど前記ペン格納部側に接近するように傾斜した傾斜面を備える請求項１又は２に記載の電子装置。
【請求項４】
前記案内突起部及び前記腕部は、前記ペン格納部の両側に設けられた請求項１乃至３のいずれか一項に記載に電子装置。
【請求項５】
前記筐体に前記移動部材の案内壁を備えるとともに、前記移動部材に前記案内壁に摺接する案内面を備えた請求項１乃至４のいずれか一項に記載の電子装置。
【発明の詳細な説明】
【技術分野】
【０００１】
本発明は、電子装置に関する。
【背景技術】
【０００２】
昨今、タッチパネルを搭載した電子装置、例えば、ノート型やタブレット型のパーソナルコンピュータ（ＰＣ）等が登場している。このような電子装置に搭載されるタッチパネルへのタッチ動作はペンを用いて行われることがある。このようなペンは、例えば、電子装置の筐体内に確保された格納スペースに格納され、ペンの保持部材によって保持されることがある。ここで、ペンの保持部材は、ラバー素材等により形成され、その弾性によってペンの外周面に押し付けられることでペンを保持する。ところが、このような保持部材は、ペンの外周面に押し付けられていることに起因して、ペンの挿抜時にペンの外周面を擦ってしまい、ペンの外周面に擦れ跡を生じさせることがある。このため、このような不都合、すなわち、ペンの挿抜操作でペンに傷がつくことを回避する提案もされている（例えば、特許文献１参照）。
【先行技術文献】
【特許文献】
【０００３】
【特許文献１】特開平１０−２０７６１１号公報
【発明の概要】
【発明が解決しようとする課題】
【０００４】
しかしながら、特許文献１の提案は、部品点数が増加し、筐体の強度が低下する等の不都合があり、改善の余地があった。
【０００５】
１つの側面では、本明細書開示の電子装置は、格納されるペンの外周面におけるペンの挿抜時の擦れ跡の発生を抑制することを課題とする。
【課題を解決するための手段】
【０００６】
本明細書開示の電子装置は、筐体内に形成されたペン格納部と、前記筐体内において、前記ペン格納部の側方に設けられた案内突起部と、前記ペン格納部に格納されるペンに設けられた係合部と係合する被係合部と、弾性を有し、前記ペン格納部に格納されるペンの挿入方向への移動に伴って前記案内突起部に接触して前記ペン格納部側の前記ペンと接触する位置へ移動し、前記ペン格納部に格納されたペンの抜脱方向への移動に伴って前記ペンから離れる位置に移動する腕部と、を有するとともに、前記ペン格納部に格納される前記ペンの挿抜方向に沿って往復移動可能に前記筐体に設置される移動部材と、を備える。
【発明の効果】
【０００７】
本明細書開示の電子装置は、格納されるペンの外周面におけるペンの挿抜時の擦れ跡の発生を抑制することができる。
【図面の簡単な説明】
【０００８】
【図１】図１はペン格納装置を備えた第１実施形態の電子装置の分解斜視図である。
【図２】図２は図１におけるＸ部を拡大して示す説明図である。
【図３】図３は第１実施形態の電子装置が備える筐体内部を示す説明図である。
【図４】図４は第１実施形態の電子装置に装備されたペン格納装置が備える移動部材の斜視図である。
【図５】図５は図４に示す移動部材を他の方向から観た斜視図である。
【図６】図６はペン格納装置に格納されるペンを示す説明図である。
【図７】図７（Ａ）はペンを格納した状態のペン格納装置を示す説明図であり、図７（Ｂ）はペンがペン格納装置から取り出される様子を示す説明図である。
【図８】図８は第２実施形態のペン格納装置を示す説明図である。
【図９】図９は第２実施形態のペン格納部の周辺を拡大して示す説明図である。
【図１０】図１０は第２実施形態の電子装置に装備されたペン格納装置から移動部材を取り外した状態を示す斜視図である。
【図１１】図１１は第２実施形態の電子装置に装備されたペン格納装置が備える移動部材の斜視図である。
【図１２】図１２は図１１に示す移動部材を他の方向から観た斜視図である。
【発明を実施するための形態】
【０００９】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されていたり、寸法が実際よりも誇張されて描かれていたりする場合がある。
【００１０】
（第１実施形態）
図１乃至図７（Ｂ）を参照しつつ、第１実施形態の電子装置１について説明する。図１は第１実施形態のペン格納装置を備えた第１実施形態の電子装置の分解斜視図である。図２は図１におけるＸ部を拡大して示す説明図である。図３は第１実施形態の電子装置が備える筐体内部を示す説明図である。図４は第１実施形態の電子装置に装備されたペン格納装置が備える移動部材の斜視図である。図５は図４に示す移動部材を他の方向から観た斜視図である。図６はペン格納装置に格納されるペンを示す説明図である。図７（Ａ）はペンを格納した状態のペン格納装置を示す説明図であり、図７（Ｂ）はペンがペン格納装置から取り出される様子を示す説明図である。
【００１１】
図１乃至図３を参照すると、電子装置１は、ペン格納装置２０を備える。ペン格納装置２０は、電子装置１の筐体２内に形成されている。ペン格納装置２０は、ペン格納部２１、案内突起部２４及び移動部材２５を備える。移動部材２５には、被係合部２８と腕部２９が形成されている。電子装置１は、表示部４にタッチパネルを搭載したノートＰＣである。電子装置１は、筐体２を有する。筐体２は、アッパーカバー２ａとロアカバー２ｂとを有する。アッパーカバー２ａには、キーボード３が設置されている。キーボード３は、アッパーカバー２ａ上に嵌め込まれると共に、キーボードカバー３ａによって上端縁が抑えられることで、アッパーカバー２ａに固定された状態となっている。ロアカバー２ｂ内には、メイン基板６、サブ基板７、スマート基板８が収納されている。また、ロアカバー２ｂ内には、ＨＤＤ（Hard Disk Drive）９、ＯＤＤ（Optical Disk Drive）１０が装備されている。ＨＤＤ９が装備された箇所には、ＨＤＤカバー９ａが装着されている。
【００１２】
電子装置１は、各種情報を表示する表示部４を備える。表示部４は、ＬＣＤ（Liquid Crystal Display）であり、タッチパネルと一体とされている。従って、表示部４は、各種情報を表示するのみでなく、画面をタッチすることによる情報入力を行うこともできる。タッチパネルへのタッチ入力動作は、後に説明するペン３０を用いて行うことができる。表示部４は、ロアカバー２ｂの奥側端縁に装着されている。ロアカバー２ｂと表示部４と接続箇所には、カバー部材５が装着されている。電子装置１は、ノートＰＣに限定されるものでなく、ペン３０を用いた表示部４へのタッチ入力動作を行うことでき、ペン３０の格納を求められるものであれば適用することができる。
【００１３】
ペン格納装置２０は、具体的にはロアカバー２ｂ内に装備されている。ロアカバー２ｂには、使用者と対向する手前側の辺縁に開口部２ｂ１が設けられている。開口部２ｂ１には、後に詳説する移動部材２５が搭載される。開口部２ｂ１は略矩形であり、その両端部には、ロアカバー２ｂの内側に向かって折り返された折返し部２ｂ１１がそれぞれ形成されている。この折返し部２ｂ１１は、移動部材２５の案内として機能する。図２や図３を参照すると、ロアカバー２ｂ内には、レール部２ｃが形成されている。移動部材２５は、このレール部２ｃ上を滑動する。
【００１４】
ロアカバー２ｂには、開口部２ｂ１が設けられた辺縁と直交する辺縁、すなわち、使用者に対して右側に位置し、手前側から奥側に向かって延びる辺縁にペン３０の挿抜口２ｂ２が設けられている。さらに具体的に、挿抜口２ｂ２は、図１においてロアカバー２ｂの右側縁の手前側に開口している。ペン格納装置２０は、図１においてロアカバー２ｂ内の右手前側角部に形成されたペン格納部２１を含む。ペン格納部２１は、格納するペン３０の外観形状に対応した壁体２２によって形成されている。ペン格納部２１の一端側は、ロアカバー２ｂに設けられた挿抜口２ｂ２に通じている。ペン格納部２１は、ロアカバー２ｂの手前側において開口部２ｂ１に対応する位置に開放部２２ａを有する。すなわち、壁体２２が途切れ、ペン格納部２１の内外を連通させる開放部２２ａが形成されている。後に詳説する腕部２９は、この開放部２２ａを通じてペン格納部２１内に格納されたペン３０と接触する。また、ロアカバー２ｂには、案内壁２３が設けられている。案内壁２３は、開放部２２ａを隔てて、壁体２２と並べて設けられている。案内壁２３には、後に詳説する移動部材２５に形成された案内面２８ａが摺接する。
【００１５】
図２や図３を参照すると、ペン格納装置２０は、筐体２内、具体的に、ロアカバー２ｂにおいて、ペン格納部２１の側方に設けられた案内突起部２４を備える。案内突起部２４は、ロアカバー２ｂに形成された開口部２ｂ１と開放部２２ａとの間に設けられている。案内突起部２４は、後に詳説する移動部材２５に設けられた腕部２９をペン格納部２１側、すなわち、格納されるペン３０へ押し付ける。案内突起部２４のペン格納部２１に対向する側の面は傾斜面２４ａとなっている。具体的に、案内突起部２４は、ペン格納部２１に格納されるペン３０の挿抜方向手前側からペンの挿抜方向奥側に向かうほどペン格納部２１側に接近するように傾斜した傾斜面２４ａを備える。腕部２９がこの傾斜面２４ａに接触した状態で移動部材２５がペン挿入方向に移動することで、腕部２９は、ペン格納部２１側へ移動する。また、これとは逆に、移動部材２５がペン抜脱方向に移動することで、腕部２９は、傾斜面との接触が解除され、その弾性によってペン格納部２１の逆側に移動する。
【００１６】
ペン格納装置２０は、移動部材２５を備える。移動部材２５は、樹脂製である。図４及び図５を参照すると、移動部材２５は、本体部２６、取り出し操作部２７、被係合部２８及び腕部２９を備える。被係合部２８は、案内壁２３に摺接する案内面２８ａが形成されている。移動部材２５は、ペン格納部２１に格納されるペン３０の挿抜方向に沿って往復移動可能に筐体２に設置されている。具体的に、ロアカバー２ｂに設けられた開口部２ｂ１に設置されている。移動部材２５は、ロアカバー２ｂ内に形成されたレール部２ｃ上に滑動可能に搭載される。移動部材２５は、本体部２６の筐体２の外側に位置する面がロアカバー２ｂに設けられた折返し部２ｂ１１に摺接するように搭載される。このとき、案内面２８ａは、案内壁２３に摺接した状態となる。これにより、移動部材２５は、安定して直線的に往復移動することができる。
【００１７】
本体部２６は、板状の部材であり、取り出し操作部２７は、本体部２６の外側の側面に設けられている。取り出し操作部２７は、開口部２ｂ１を通じて筐体２の外側に露出し、ペン格納部２１に格納されたペン３０を取り出す際に操作される。具体的に、使用者がペン３０を取り出す際に、例えば、親指や人指し指を添えて、本体部２６を移動させることができるようになっている。本体部２６は、その上端縁に凸部２６ａを備えている。凸部２６ａは、アッパーカバー２ａに設けられた凹部と協働することで、ペン３０が格納されていないときの移動部材２５を固定状態とし、移動しないようにすることができる。
【００１８】
移動部材２５は、ペン格納部２１に格納されるペン３０に設けられた係合部３０ｂ１と係合する被係合部２８を備える。図６を参照すると、ペン３０は、表示部４にタッチする先端部３０ａがテーパ状に成形されており、後端部３０ｂ側に係合部３０ｂ１を備えている。係合部３０ｂ１は、ペン３０の外周面から側方に突出した形状を有する。被係合部２８は、このような係合部３０ｂ１と係合する。具体的に、ペン３０をペン格納部２１に格納する際、ペン３０が挿抜口２ｂ２から筐体２内へ押し込まれると、係合部３０ｂ１が被係合部２８に係合し、さらに、ペン３０が押し込まれると、移動部材２５もペン３０とともに、筐体２の奥側に押し込まれる。また、ペン３０を取り出すときは、取り出し操作部２７を操作し、移動部材２５を取り出し側へ移動させる。これにより、係合部３０ｂ１と係合した被係合部２８がペン３０をペン格納部２１から押し出し、ペン３０を取り出し可能な状態とする。ペン３０は、取り出し操作部２７を操作し、移動部材２５を取り出し側に移動させることで挿抜口２ｂ２から飛び出た後端部３０ｂを摘み、引き出すことで、完全に筐体２から取り出される。なお、参照番号３０ｃは、ペン３０に設けられたスイッチである。
【００１９】
移動部材２５は、腕部２９を備える。腕部２９は、弾性を有し、ペン格納部２１に格納されるペン３０の挿入方向への移動に伴って案内突起部２４に接触してペン格納部２１側へ押し付けられる。また、腕部２９は、ペン格納部２１に格納されたペン３０の抜脱方向への移動に伴って元位置に復帰する。このような腕部２９は、被係合部２８から奥側に向かって延びており、ペン格納部２１と案内突起部２４との間に位置している。腕部２９は、挿抜口２ｂ２から離れた筐体２の奥側に位置する端部を先端部２９ａとすると、挿抜口２ｂ２側に向かって順に第１屈曲部２９ｂ、平行部２９ｃ、第２屈曲部２９ｄ、傾斜部２９ｅ及び基端部２９ｆを備える。基端部２９ｆは、被係合部２８との接続部である。第１屈曲部２９ｂと第２屈曲部２９ｄは、いずれもペン格納部２１側に凸となるように成形されている。第１屈曲部２９ｂは、ペン格納部２１に格納されたペン３０の外周面に接触する部分である。このため、第１屈曲部２９ｂは、少なくとも、ペン３０がペン格納部２１に格納された状態となるときに、開放部２２ａと通じて、ペン３０に接触することができる位置に設けられている。
【００２０】
傾斜部２９ｅは、ペン格納部２１に格納されるペン３０の挿抜方向手前側に位置する基端側からペン３０の挿抜方向奥側に位置する先端側に向かうほどペン格納部２１側に近づくように傾斜している。ペン３０を格納する際、ペン３０が押し込まれ、これに伴って移動部材２５が筐体２の奥側に押し込まれると、傾斜部２９ｅが案内突起部２４に接触する。そして、傾斜部２９ｅが傾斜面２４ａ上を摺動することにより、腕部２９がペン格納部２１側へ押し付けられる。腕部２９が備える第１屈曲部２９ｂは、最終的に、腕部２９の弾性力によってペン３０の外周面に押し付けられ、ペン３０を保持する。なお、腕部２９がペン３０の外周面に押し付けられると、腕部２９は、ペン３０の外周面と案内突起部２４との間に挟持される状態となり、移動部材２５が固定された状態となる。
【００２１】
本実施形態では、傾斜面２４ａを設けると共に、傾斜部２９ｅを設けることで、腕部２９をペン格納部２１側に押し付け易くしているが、傾斜面２４ａの形成、傾斜部２９ｅの形成のいずれか一方を採用するようにしてもよい。例えば、傾斜面２４ａを設け、腕部２９を直線的に形成した場合、腕部２９の先端部２９ａが傾斜面２４ａに接触し、さらに移動部材２５が押し込まれると、腕部２９は、ペン格納部２１側へ押し付けられる。また、傾斜部２９ｅが設けられている場合には、案内突起部２４に傾斜部２９ｅが接触し、さらに移動部材２５が押し込まれると、腕部２９は、ペン格納部２１側に押し付けられる。要は、腕部２９が案内突起部２４に接触した状態で移動部材２５が押し込まれることにより、腕部２９の先端部２９ａ側がペン格納部２１側へ押し付けられるようになっていればよい。
【００２２】
このような腕部２９は、ペン３０がペン格納部２１に格納された状態となるときにペン３０の外周壁に接触してペン３０を保持する。一方、移動部材２５がペン３０の取り出し方向に移動すると即座にペン３０の外周壁との接触状態が解除される。このため、ペン３０の挿入時及び抜脱時のいずれにおいても腕部２９がペン３０の外周面を擦ることがなく、ペン３０の外周面に擦れ跡を生じさせることがない。
【００２３】
また、腕部２９は、案内突起部２４に接触し、ペン格納部２１側に押し込まれることで発生する弾性力によってペン３０を保持するものであるので、経年変化や繰り返しのペン３０の挿抜による保持力の低下が生じにくい。また、挿抜に必要とされる荷重も変化しにくい。すなわち、仮に、ペン３０を保持するために、ラバー素材等によって形成された保持部材を採用すると、ラバー素材等の経年変化や、繰り返しのペン３０の挿抜により、ラバー素材等が削れたり、へたりが生じることがある。この結果、ラバー素材等を用いた場合、挿抜時の荷重の変化や保持力が低下する可能性がある。本実施形態によれば、これらの不都合を回避することができる。
【００２４】
また、本実施形態の電子装置１にペン格納装置２０を設けるためには、電子装置１の筐体２の成形と、移動部材２５の成形を行えばよい。また、移動部材２５は、一体成形可能であるので、製造工程の簡略化を図ることができる。また、部品点数を削減することができることから、部品費用及び取り付け費用のコストダウンに寄与することにもなる。
【００２５】
さらに、本実施形態の電子装置１が装備するペン格納装置２０に格納されるペン３０は、移動部材２５が備える被係合部２８と係合する係合部３０ｂ１を備えていればよい。このため、ペン３０をペン格納部２１内で保持したり、ペン格納部２１から取り出したりするために、例えば、その外周面に溝を設ける等の措置は不要である。この結果、本実施形態のペン格納装置２０に格納されるペン３０は、その外観形状の自由度が高い。
【００２６】
また、本実施形態のペン格納装置２０において、ペン３０の取り出し動作は、移動部材２５が備える取り出し操作部２７を操作することによって行う。このため、ペン３０の全体を筐体２内に格納することができる。仮に、ペン３０を取り出すときに、ペン３０の一部に指を添えて筐体から押し出すようにすると、筐体は、少なくとも一部が開放された溝部を備え、その溝部からペン３０の一部を露出しておかなければならない。このような溝部は、筐体の強度を低下させる。本実施形態のペン格納装置２０は、このような溝部を備える必要はないため、筐体２の強度を確保しやすい。
【００２７】
（第２実施形態）
つぎに、第２実施形態につき、図８乃至図１２を参照しつつ説明する。図８は第２実施形態のペン格納装置を示す説明図である。図９は第２実施形態のペン格納部の周辺を拡大して示す説明図である。図１０は第２実施形態の電子装置に装備されたペン格納装置から移動部材を取り外した状態を示す斜視図である。図１１は第２実施形態の電子装置に装備されたペン格納装置が備える移動部材の斜視図である。図１２は図１１に示す移動部材を他の方向から観た斜視図である。
【００２８】
第２実施形態のペン格納装置７０は、第１実施形態のペン格納装置２０と、以下の点で相違する。すなわち、第１実施形態のペン格納装置２０は、一つの案内突起部２４を備えていたのに対し、第２実施形態のペン格納装置７０は、二つの案内突起部７４を備える。また、第１実施形態のペン格納装置２０が備える移動部材２５は、一本の腕部２９を備えていたのに対し、第２実施形態のペン格納装置７０が備える移動部材７５は、２本の腕部を備える。すなわち、移動部材７５は、第１腕部７９と第２腕部８１を備える。これにより、第２実施形態のペン格納装置７０は、ペン３０をその両側から保持するようになっている。
【００２９】
図８乃至図１０を参照すると、第２実施形態のペン格納装置７０におけるペン格納部７１は、ペン３０の外観形状に対応した壁体７２によって形成されている。また、ペン格納装置７０は、ペン格納部７１の一側に形成された開放部７２ａとペン格納部７１の他側に形成された開放部７２ｂを有する。なお、案内壁７３は、第１実施形態の案内壁２３と同様に、ペン格納部７１の一側にのみ設けられている。
【００３０】
案内突起部７４は、このようなペン格納部７１の両側に設けられている。また、腕部もペン格納部７１の両側に設けられるように、第１腕部７９と第２腕部８１とがペン格納部７１を隔てて配置されている。
【００３１】
案内突起部７４は、ペン格納部７１の軸線を中心とした線対称に設けられている。案内突起部７４は、それぞれ傾斜面７４ａを備える。この点は、第１実施形態の案内突起部２４と同様である。
【００３２】
図１１及び図１２を参照すると、移動部材７５は、凸部７６ａを有する本体部７６、取り出し操作部７７、被係合部７８、第１腕部７９及び第２腕部８１を備える。また、第２腕部８１と被係合部７８とを接続する接続部８０を備える。被係合部７８は、案内壁７３に摺接する案内面７８ａが形成されている。移動部材７５は、ペン格納部７１に格納されるペン３０の挿抜方向に沿って往復移動可能に筐体に設置されている。この点は、第１実施形態と共通する。第１実施形態と共通する構成については、その詳細な説明は省略する。
【００３３】
移動部材２５は、第１腕部７９を備える。第１腕部７９は、第１実施形態の腕部２９と同様に先端部７９ａ、第１屈曲部７９ｂ、平行部７９ｃ、第２屈曲部７９ｄ、傾斜部７９ｅ及び基端部２９ｆを備える。移動部材２５は、第２腕部８１を備える。第２腕部８１は、第１腕部７９と線対称に設けられるものであり、先端部８１ａ、第１屈曲部８１ｂ、平行部８１ｃ、第２屈曲部８１ｄ、傾斜部８１ｅ及び基端部８１ｆを備える。従って、第２腕部８１は、第１腕部７９と対称の動作をする。
【００３４】
このように、第２実施形態のペン格納装置７０は、ペン３０をその両側から腕部を接触させるので、より安定した状態でペン３０を保持することができる。第１腕部７９及び第２腕部８１は、ペン３０の挿抜時に第１実施形態における腕部２９と同様な動作をするため、ペン３０の外周面における擦れ跡の発生を抑制することができる。また、第２実施形態のペン格納装置７０は、第１実施形態のペン格納装置２０と同様の効果を発揮することができる。
【００３５】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００３６】
１  電子装置
２０、７０  ペン格納装置
２１、７１  ペン格納部
２４、７４  案内突起部
２４ａ、７４ａ  傾斜面
２５、７５  移動部材
２７、７７  取り出し操作部
２８、７８  被係合部
２８ａ、７８ａ  案内面
２９  腕部
７９  第１腕部
８１  第２腕部
【図１】
2017167638.tif 000003
【図２】
2017167638.tif 000004
【図３】
2017167638.tif 000005
【図４】
2017167638.tif 000006
【図５】
2017167638.tif 000007
【図６】
2017167638.tif 000008
【図７】
2017167638.tif 000009
【図８】
2017167638.tif 000010
【図９】
2017167638.tif 000011
【図１０】
2017167638.tif 000012
【図１１】
2017167638.tif 000013
【図１２】
2017167638.tif 000014